(57)【要約】【課題】葬儀に関する画像情報を提供する葬儀情報提供装置を提供する。【解決手段】葬儀情報提供装置は、各種の条件に応じた葬儀の様子を示す画像情報を記憶する記憶部と、葬儀に関する条件の入力を受け付ける受付部と、受付部が葬儀に関する条件の入力を受け付けた場合に、当該葬儀に関する条件に応じた画像情報を記憶部から取得する取得部と、取得部が取得した画像情報を葬儀に関する条件を入力したユーザの機器に提供する提供部とを備える。【選択図】図１
2019032855.tif 000002
【特許請求の範囲】
【請求項１】
葬儀に係る情報を提供する葬儀情報提供装置であって、
火葬場並びに斎場に係る位置情報を記憶するとともに地図情報を記憶する記憶部と、
葬儀を運営する運営者の位置情報を取得する取得部と、
葬儀に係る情報として、葬儀を行う葬儀場と、火葬する火葬場とを特定可能な情報を受け付ける受付部と、
前記受付部が受け付けた葬儀場と、火葬場と、前記運営者の位置情報とが含まれる所定領域内の地図情報上に、当該葬儀場と火葬場と運営者の位置情報とを示す情報が配された画像情報を出力する出力部とを備え、
前記運営者の位置情報は、搬送車の情報である
葬儀情報提供装置。
【請求項２】
葬儀に係る情報を提供する葬儀情報提供装置による葬儀情報提供方法であって、
火葬場並びに斎場に係る位置情報を記憶するとともに地図情報を記憶する記憶ステップと、
葬儀を運営する運営者の位置情報を取得する取得ステップと、
葬儀に係る情報として、葬儀を行う葬儀場と、火葬する火葬場とを特定可能な情報を受け付ける受付ステップと、
前記受付ステップが受け付けた葬儀場と、火葬場と、前記運営者の位置情報とが含まれる所定領域内の地図情報上に、当該葬儀場と火葬場と運営者の位置情報とを示す情報が配された画像情報を出力する出力ステップとを含み、
前記運営者の位置情報は、搬送車の情報である
葬儀情報提供方法。
【請求項３】
火葬場並びに斎場に係る位置情報を記憶するとともに地図情報を記憶する記憶部にアクセス可能なコンピュータに、
葬儀を運営する運営者の位置情報を取得する取得機能と、
葬儀に係る情報として、葬儀を行う葬儀場と、火葬する火葬場とを特定可能な情報を受け付ける受付機能と、
前記受付機能が受け付けた葬儀場と、火葬場と、前記運営者の位置情報とが含まれる所定領域内の地図情報上に、当該葬儀場と火葬場と運営者の位置情報とを示す情報が配された画像情報を出力する出力機能とを実現させ、
前記運営者の位置情報は、搬送車の情報である
葬儀情報提供プログラム。
【発明の詳細な説明】
【技術分野】
【０００１】
本発明は、葬儀に関する情報を提供する葬儀情報提供装置、葬儀情報提供方法及び葬儀情報提供プログラムに関する。
【背景技術】
【０００２】
近年葬儀に関するサービスを提供するためのシステムが考案されている。例えば、特許文献１には、ユーザが、亡くなる前に、ユーザ自身の葬儀において流してほしい映像等を預託しておき、ユーザの死後、葬儀を行う際に、預託されていた映像を提供するシステムが開示されている。
【先行技術文献】
【特許文献】
【０００３】
【特許文献１】特開２０１２−１１３７０２号公報
【発明の概要】
【発明が解決しようとする課題】
【０００４】
ところで、ユーザが葬儀について詳しくない場合、どのような葬儀を行うことになるのかを認識できないという問題がある。特に葬儀は、急に執り行うことも多いため、例えば、どれだけの金額をかければ適当なのかがユーザにはわからないという問題がある。
【０００５】
そこで、本発明は上記問題に鑑みてなされたものであり、ユーザに葬儀に関する情報を提供することができる葬儀情報提供装置、葬儀情報提供方法及び葬儀情報提供プログラムを提供することを目的とする。
【課題を解決するための手段】
【０００６】
上記課題を解決するために、本発明の一態様に係る葬儀情報提供装置は、各種の条件に応じた葬儀の様子を示す画像情報を記憶する記憶部と、葬儀に関する条件の入力を受け付ける受付部と、受付部が葬儀に関する条件の入力を受け付けた場合に、当該葬儀に関する条件に応じた画像情報を記憶部から取得する取得部と、取得部が取得した画像情報を葬儀に関する条件を入力したユーザの機器に提供する提供部とを備える。
【０００７】
また、本発明の一態様に係る葬儀情報提供方法は、各種の条件に応じた葬儀の様子を示す画像情報を記憶部に記憶する記憶ステップと、葬儀に関する条件の入力を受け付ける受付ステップと、受付ステップにおいて葬儀に関する条件の入力を受け付けた場合に、当該葬儀に関する条件に応じた画像情報を記憶部から取得する取得ステップと、取得ステップにおいて取得した画像情報を葬儀に関する条件を入力したユーザの機器に提供する提供ステップとを含む。
【０００８】
また、本発明の一態様に係る葬儀情報提供プログラムは、コンピュータに、各種の条件に応じた葬儀の様子を示す画像情報を記憶部に記憶する記憶機能と、葬儀に関する条件の入力を受け付ける受付機能と、受付機能が葬儀に関する条件の入力を受け付けた場合に、当該葬儀に関する条件に応じた画像情報を記憶部から取得する取得機能と、取得機能が取得した画像情報を葬儀に関する条件を入力したユーザの機器に提供する提供機能とを実現させる。
【０００９】
また、上記葬儀情報提供装置において、画像情報には、各種の条件の一つとして、葬儀が行われた場所を示す場所情報が対応付けられており、葬儀に関する条件の入力は、ユーザが葬儀を行う場所の候補地の入力であり、取得部は、候補地に対応する場所情報が対応付けられた画像情報を取得することとしてもよい。
【００１０】
また、上記葬儀情報提供装置において、場所情報は、火葬場または斎場の所在地を示す情報を含むこととしてもよい。
【００１１】
また、上記葬儀情報提供装置において、画像情報には、各種の条件の一つとして、葬儀に係る費用を示す費用情報が対応付けられており、葬儀に関する条件の入力は、ユーザが葬儀に欠けられる費用の入力であり、取得部は、入力された費用に対応する費用情報が対応付けられた画像情報を取得することとしてもよい。
【００１２】
また、上記葬儀情報提供装置において、画像情報には、各種の条件の一つとして、葬儀を行なった日付けに関する日付情報が対応付けられており、葬儀に関する条件の入力は、ユーザが葬儀の実行を希望する日時の入力であり、取得部は、入力された日時に対応する日付情報が対応付けられた画像情報を取得することとしてもよい。
【００１３】
また、上記葬儀情報提供装置において、画像情報には、各種の条件の一つとして、葬儀を行った宗教に関する宗教情報が対応付けられており、葬儀に関する条件の入力は、ユーザが葬儀を行いたい宗教を示す情報の入力であり、取得部は、入力された宗教に対応する宗教情報が対応付けられた画像情報を取得することとしてもよい。
【００１４】
また、上記葬儀情報提供装置において、葬儀情報提供装置は、さらに、ユーザから、各種の条件が対応付けられた葬儀の様子を示す画像情報の登録を受け付けて記憶部に登録する登録部を備えることとしてもよい。
【発明の効果】
【００１５】
本発明の一態様に係る葬儀情報提供装置は、入力された葬儀に関する条件に応じた葬儀の様子を示す画像情報を提供することができる。したがって、例えば、ユーザが自身で行おうとしている葬儀の条件を入力すれば、同等の条件下で行われた他の葬儀の様子を事前に知ることができる。
【図面の簡単な説明】
【００１６】
【図１】葬儀情報提供装置を含むシステム態様の一例を示すシステム図である。
【図２】葬儀情報提供装置の詳細な構成例を示すブロック図である。
【図３】葬儀データベースのデータ構成例を示すデータ概念図である。
【図４】葬儀情報提供装置とユーザの機器との間のやり取りを示すシーケンス図である。
【図５】葬儀情報提供装置の動作を示すフローチャートである。
【図６】葬儀情報提供装置が提供するインターフェース画面の一例を示す図である。
【図７】葬儀情報提供装置の詳細な構成例を示すブロック図である。
【発明を実施するための形態】
【００１７】
以下、本発明の一実施態様に係る葬儀情報提供装置について、図面を参照しながら詳細に説明する。
【００１８】
＜実施の形態＞
＜構成＞
図１に示すように、葬儀情報提供装置１００は、記憶部１３０と、受付部１２１と、取得部１２２と、提供部１２３とを備える。
【００１９】
記憶部１３０は、各種の条件に応じた葬儀の様子を示す画像情報を記憶している。記憶部１３０は、情報を記憶する機能を有する。記憶部１３０は、記憶媒体であり、例えば、HDD（Hard Disc Drive）、SSD（Solid State Drive）などにより実現することができる。ここで、各種の条件とは、葬儀に関する条件であって、葬儀を特定可能な条件のことをいい、例えば、葬儀の行われた場所や葬儀に係った費用などであってよい。また、画像情報は、葬儀の様子を撮影したものであればどのようなものであってもよく、動画、静止画のいずれであってもよい。また、動画の場合には、音声が伴ってもよい。
【００２０】
受付部１２１は、葬儀に関する条件の入力を受け付ける。ここでいう葬儀に関する条件とは、ユーザが葬儀を執り行う際の場所や費用などの条件のことをいう。当該条件の入力は、葬儀情報提供装置１００が提供するウェブページに対する入力を、葬儀に関する条件の入力として受け付けることとしてもよいし、ユーザの機器２００から送信された葬儀に関する条件が記載されたメールを受信することで受け付けることとしてもよい。当該条件は、葬儀に関する条件であればよく、複数の条件が含まれてもよい。また、条件なしであってもよい。また、ここで葬儀の対象は、故人であってもよいし、ユーザ自身（生者）であってもよい。
【００２１】
取得部１２２は、受付部が葬儀に関する条件の入力を受け付けた場合に、当該葬儀に関する条件に応じた画像情報を取得する。
【００２２】
提供部１２３は、取得部１２２が取得した画像情報を葬儀に関する条件を入力したユーザの機器２００に提供する。
【００２３】
図１に示すように、葬儀情報提供装置１００は、ネットワーク３００を介して、ユーザの機器２００と接続されている。ネットワーク３００は、通信が実行できれば、有線、無線を問うものではなく、また、通信プロトコルも問うものではない。機器２００を保持するユーザが葬儀を行うにあたって、葬儀の様子を予め知りたい場合に、ユーザは、他の似たような条件で執り行った葬儀に関する様子を知りたいことがある。そのような場合に、ユーザは、自身の機器２００を利用して、葬儀の条件を入力する。入力された条件を機器２００は、ネットワーク３００を介して、葬儀情報提供装置１００に送信する。葬儀情報提供装置１００は、受け付けた葬儀の条件に応じた画像情報を、ユーザの機器２００にネットワーク３００を介して送信する。そして、ユーザの機器２００は、受信した画像情報を表示する。これにより、ユーザは、自身の所望する条件と同様の条件で行われた葬儀の模様を認識することができる。したがって、条件を変更することで、自身の所望する葬儀に近い葬儀を予め認識し、その条件で葬儀を行うことができる。
【００２４】
図２は、葬儀情報提供装置１００の詳細な構成を示すブロック図である。図２に示すように、葬儀情報提供装置１００は、通信部１１０と、制御部１２０と、記憶部１３０とを備える。通信部１１０と、制御部１２０と、記憶部１３０とは、互いにバス１４０を介して接続されている。
【００２５】
通信部１１０は、ネットワーク３００を介して、ユーザの機器２００と通信を実行する機能を有する。通信部１１０は、通信インターフェースであり、ネットワーク３００を介して、受信した葬儀情報の登録許可を制御部１２０に伝達したり、制御部１２０からの指示にしたがって葬儀に関する条件を入力したユーザの機器２００に当該条件に応じて実施された葬儀の様子を示す画像情報を送信したりする。
【００２６】
制御部１２０は、記憶部１３０に記憶されているプログラムを実行して、ユーザが所望する条件で行われた葬儀の様子に関する情報をユーザに提供する機能を有する。制御部１２０は、記憶部１３０に記憶されている各種のプログラムを実行するプロセッサである。制御部１２０は、葬儀に関する情報の登録許可を受け付けて、葬儀データベース１３１に新たに葬儀に関する情報を登録する。また、制御部１２０は、葬儀に関する条件を受け付けて、当該条件に適合する葬儀を葬儀データベース１３１から特定し、対応する画像情報を、条件を送信したユーザの機器２００に通信部１１０に送信させる。
【００２７】
制御部１２０は、受付部１２１、取得部１２２、提供部１２３、登録部１２４としても機能する。
【００２８】
受付部１２１は、葬儀に関する条件の入力を受け付ける機能を有する。受付部１２１は、通信部１１０が受信したユーザの機器２００からの葬儀に関する条件を伝達されて葬儀に関する条件の入力を受け付ける。
【００２９】
取得部１２２は、受付部１２１が葬儀に関する条件の入力を受け付けると、当該葬儀に関する条件に応じた画像情報を取得する機能を有する。取得部１２２は、受付部１２１が受け付けた葬儀に関する条件に合致する葬儀を葬儀データベース１３１を参照して特定し、特定した葬儀に対応付けられている画像情報を取得する。当該処理の詳細については、後述する。
【００３０】
提供部１２３は、取得部１２２が取得した画像情報を葬儀に関する条件を入力したユーザの機器２００に提供する機能を有する。具体的には、提供部１２３は、取得部１２２が取得した画像情報を、通信部１１０に、ユーザの機器２００に宛てて送信することで、提供する。
【００３１】
登録部１２４は、ユーザから、各種の条件が対応付けられた葬儀の様子を示す画像情報の登録を受け付けて記憶部に登録する機能を有する。画像情報は、ユーザから提供されたものであってもよいし、葬儀情報提供装置１００の関係者が撮影して得たものであってもよい。また、画像情報の登録はユーザからの登録依頼であってもよいし、葬儀情報提供装置１００からユーザに宛てて登録許可の依頼をだし、それに対して許可を受け付ける態様で実現されてもよい。
【００３２】
記憶部１３０は、葬儀情報提供装置１００が動作上必要とする各種プログラムや各種データを記憶する機能を有する。記憶部１３０は、例えば、HDD、SSD、フラッシュメモリなどにより実現することができる。記憶部１３０は、ユーザからの登録許可に応じて葬儀データベース１３１に新たな葬儀に関する情報を登録するためのプログラムや、ユーザからの葬儀に関する条件に対応する画像情報を特定するためのプログラムなどを記憶している。また、記憶部１３０は、葬儀に関する情報を記憶している葬儀データベース１３１を記憶している。葬儀データベース１３１の詳細については後述する。
【００３３】
ユーザの機器２００は、葬儀に関する条件の入力を受け付けて、その条件を葬儀情報提供装置１００に送信可能な機器であり、葬儀情報提供装置１００から送信された画像情報を表示可能な機器でもある。ユーザの機器２００は、例えば、PCや、スマートフォン、携帯電話、タブレット端末などにより実現することができる。
【００３４】
以上が、葬儀情報提供装置１００に係る各装置の構成の説明である。
【００３５】
＜データ＞
図３は、葬儀情報提供装置１００が利用し、記憶部１３０に記憶されている葬儀データベース１３１のデータ構成例を示すデータ概念図である。葬儀データベース１３１は、過去に執り行われた葬儀に関する各種の情報が登録されており、その際の画像情報が登録されたデータベースである。
【００３６】
図３に示すように葬儀データベース１３１は、管理番号３０１と、場所３０２と、葬儀場名３０３と、火葬場名３０４と、葬儀社名３０５と、日付３０６と、費用３０７と、画像情報３０８とが対応付けられた情報である。
【００３７】
管理番号３０１は、各葬儀に関する情報を、葬儀情報提供装置１００が識別するための識別情報である。管理番号３０１は、数字や、その他の文字の組み合わせにより実現されてよく、各葬儀を一意に区別できれば、どのような態様の情報であってもよい。
【００３８】
場所３０２は、各葬儀が実施された場所を示す情報である。場所３０２は、経度及び緯度により表現される。
【００３９】
葬儀場名３０３は、葬儀を実施した葬儀場の名称を示す情報である。なお、葬儀場名３０３は、葬儀場を一意に特定できれば、名称でなくともよい。なお、葬儀場は、斎場と呼称されることもよい。
【００４０】
火葬場名３０４は、葬儀を実施した火葬場の名称を示す情報である。なお、火葬場名３０４は、火葬場を一意に特定できれば、名称でなくともよい。
【００４１】
葬儀社名３０５は、葬儀を取り仕切った葬儀社の名称を示す情報である。なお、葬儀社名３０５は、葬儀社を一意に特定できれば、名称でなくともよい。
【００４２】
日付３０６は、葬儀を実施した日付を示す情報である。ここでは、日付けのみを示しているが、更に、葬儀を実施した時間帯の情報も付与されてもよい。
【００４３】
費用３０７は、葬儀に係った総費用を示す情報である。ここでは、総費用を示しているが、費用３０７は、細目に分けられていてもよい。
【００４４】
画像情報３０８は、葬儀において撮影されたものであって、葬儀の様子を示す静止画、動画を示す情報である。
【００４５】
図３の例でいえば、管理番号「Ｓ０２０３９４９」で管理されている葬儀情報は、「Ｘ１、Ｙ１」で示される座標において実施されている。当該葬儀は、「Ａ葬儀場」にて実施され、「Ａ火葬場」にて火葬され、執り行った葬儀社は、「Ａ葬儀社」が執り行っていることが理解できる。また、当該葬儀は、「２０１７年１月１５日」において、「２５万円」で行われている。そして、当該葬儀の様子を示す画像は、「Ｐ００２０１５．ｊｐｇ」となっている。即ち、あるユーザが例えばＡ葬儀場を使用した葬儀の様子を見たいと思った場合には、「Ａ葬儀場」の条件を入力すれば、「Ｐ００２０１５．ｊｐｇ」で示される画像がユーザに対して提供される。これによって、ユーザは、Ａ葬儀場を使用した葬儀の様子を認識することができる。
【００４６】
＜動作＞
次に、葬儀情報提供装置１００の動作を説明する。
【００４７】
図４は、葬儀情報提供装置１００を利用する際のユーザの機器２００と葬儀情報提供装置１００との間のやり取りの例を示すシーケンス図である。
【００４８】
図４に示すように、まず、ユーザは、自身の保持する機器２００に対して、葬儀に関する条件を入力する。例えば、ユーザは、葬儀情報提供装置１００が提供するウェブページにアクセスして、当該ウェブページに用意されている入力フォームに葬儀に関する条件を入力する（ステップＳ４０１）。
【００４９】
そうすると、機器２００は、葬儀情報提供装置１００に対して、葬儀に関する条件を送信することになる（ステップＳ４０２）。なお、ここでは、ウェブページに対する入力としているが、機器２００は、何らかの通信手段、例えば、メールを用いて、葬儀情報提供装置１００に対して葬儀に関する条件を送信することとしてもよい。
【００５０】
葬儀に関する条件を受信すると、葬儀情報提供装置１００は、当該条件に合致する葬儀を、葬儀データベース１３１を参照して特定する（ステップＳ４０３）。
【００５１】
葬儀情報提供装置１００は、特定した葬儀に対応付けられている画像情報を、葬儀データベース１３１から取得する（ステップＳ４０４）。
【００５２】
そして、葬儀情報提供装置１００は、特定した画像情報を送信する（ステップＳ４０５）。当該画像情報の送信は、葬儀情報提供装置１００が提供するウェブページに表示する態様での送信であってもよいし、メールに画像情報を添付することによる送信としてもよい。
【００５３】
ユーザの機器２００は、送信された画像情報をモニター上に表示する（ステップＳ４０６）。これにより、ユーザは、自身の考案した条件で葬儀を行った場合の様子を事前に認識することができる。したがって、画像情報を見たユーザがその内容に満足できない場合に、条件を変更して、自身にあった葬儀の条件を探索することができる。
【００５４】
図５は、葬儀情報提供装置１００の動作例を示すフローチャートである。図５に示すフローチャートは、葬儀情報提供装置１００の、葬儀に関する情報の登録を受け付けた場合の動作と、葬儀に関する条件の入力を受け付けた場合の動作とを示すフローチャートである。
【００５５】
図５に示すように、葬儀情報提供装置１００の通信部１１０は、ネットワーク３００を介して、情報を受信すると、制御部１２０に伝達する。
【００５６】
制御部１２０は、伝達された情報が、画像の登録許可を示すものであるか否かを判定する（ステップＳ５０１）。当該判定は、例えば、伝達された情報のヘッダ情報を確認することで行うことができる。制御部１２０は、伝達された情報が、画像情報の登録許可を示す物であった場合に（ステップＳ５０１のＹＥＳ）、葬儀に関する各情報を抽出する（ステップＳ５０２）。例えば、画像情報がユーザの機器２００から送信されたものである場合には、画像情報とともに送信される情報（ユーザが機器２００に入力した情報）を抽出する。画像情報が葬儀情報提供装置１００を管理する側の人間が撮影した画像情報である場合には、元々記憶している情報を、葬儀データベース１３１に正規に登録する。例えば、葬儀情報提供装置１００に関連する人間が葬儀の模様を撮影していた場合に、葬儀の情報を予め記憶部１３０の葬儀データベース１３１とは別の領域に記憶しておき、この情報を抽出する。
【００５７】
制御部１２０の登録部１２４は、抽出した葬儀に関する各情報と画像情報とを対応付けて、葬儀データベース１３１に登録する（ステップＳ５０３）。なお、葬儀データベース１３１の項目の中で、抽出できない項目出来ないデータについては、空欄にしておく。
【００５８】
葬儀に関する各種情報を登録すると、次の情報を受信するまで待機する（ステップＳ５０１に戻る）。
【００５９】
制御部１２０は、伝達された情報が、画像の登録許可を示すものではなかった場合に（ステップＳ５０１のＮＯ）、制御部１２０は、伝達された情報が、葬儀に関する条件であるか否かを判定する。当該判定は、例えば、伝達された情報のヘッダ情報を確認することで行うことができる。制御部１２０は、伝達された情報が、葬儀に関する条件であった場合には（ステップＳ５０４のＹＥＳ）、当該条件に対応する葬儀を、葬儀データベース１３１から特定する（ステップＳ５０５）。
【００６０】
制御部１２０は、葬儀データベース１３１で条件に対応すると特定した葬儀に対応付けられている画像情報３０８を、葬儀データベース１３１から取得する（ステップＳ５０６）。
【００６１】
そして、制御部１２０は、通信部１１０に、取得した画像情報を送信するように伝達する。通信部１１０は、制御部１２０から伝達された画像情報を、葬儀に関する条件を入力した機器２００に対してネットワーク３００を介して送信する（ステップＳ５０７）。そして、葬儀情報提供装置１００は、次に新たな情報を受信するまでは待機する（ステップＳ５０１に戻る）。
【００６２】
これにより、葬儀情報提供装置１００は、葬儀の模様を示す画像情報を逐次取得して、葬儀データベース１３１を更新することができるとともに、葬儀の模様を知りたいユーザに対して、ユーザが葬儀を行いたい規模や場所に応じた葬儀の模様を示す画像情報を提供することができる。
【００６３】
＜条件入力と葬儀の特定についての具体例＞
ユーザが葬儀に関する条件として入力可能な内容は多岐にわたる。以下においては、その入力された条件と、その場合の制御部１２０の動作について説明する。
【００６４】
（例１）入力された条件が、場所である場合
葬儀に関する条件として入力された内容が場所（例えば、地名や、経緯度情報）などである場合には、制御部１２０は、葬儀データベース１３１の場所３０２を参照して、葬儀を特定する。葬儀に関する条件として入力された内容が地名である場合には、制御部１２０は、当該地名で示される地域に含まれる場所３０２が対応付けられている葬儀を特定する。また、葬儀に関する条件として入力された内容が経緯度情報（例えば、ユーザが自身の機器２００の測位システムを用いて測定した経緯度情報）である場合には、制御部１２０は、当該経緯度情報から、所定範囲内（所定距離内。例えば、１０ｋｍ圏内）に存在する場所３０２が対応付けられている葬儀を特定する。これにより、葬儀情報提供装置１００は、ユーザが葬儀を行いたい場所を条件として、その場所の近隣で実施された葬儀の様子を示す画像情報を提供することができる。
【００６５】
（例２）入力された条件が、葬儀場名や火葬場名である場合
葬儀に関する条件として入力された内容が、葬儀場名である場合には、制御部１２０は、葬儀データベース１３１の葬儀場名３０３を参照して、入力された葬儀場名と一致（または所定割合以上一致）する葬儀を特定する。また、あるいは、葬儀に関する条件として入力された内容が、火葬場名である場合には、制御部１２０は、葬儀データベース１３１の火葬場名４０４を参照して、入力された火葬場名と一致（または所定割合以上一致）する葬儀を特定する。なお、所定割合以上一致するとは、入力された葬儀場名または火葬場名を構成する各文字と、葬儀場名３０３または火葬場名３０４の各名称を構成する各文字との一致率が所定の閾値を超えることを意味する。
【００６６】
これにより、葬儀情報提供装置１００は、ユーザが葬儀を行いたい葬儀場や火葬場を条件として、その葬儀場や火葬場を利用した葬儀の様子を示す画像情報を提供することができる。
【００６７】
（例３）入力された条件が、葬儀社名である場合
葬儀に関する条件として入力された内容が、葬儀社名である場合には、制御部１２０は、葬儀データベース１３１の葬儀社名３０５を参照して、入力された葬儀社名と一致（または、所定割合以上位置）する葬儀を特定する。なお、所定割合以上一致するとは、入力された葬儀社名を構成する各文字と、葬儀社名３０５の各名称を構成する各文字との一致率が所定の閾値を超えることを意味する。
【００６８】
これにより、葬儀情報提供装置１００は、ユーザが葬儀を取り仕切ってもらいたい葬儀社を条件として、その葬儀社を利用した場合の葬儀の様子を示す画像情報を提供することができる。ユーザが、懇意にしている葬儀社や、有名な葬儀社を利用したい場合に、葬儀情報提供装置１００は、ユーザにとって有意な画像情報を提供することができる。
【００６９】
（例４）入力された条件が日付けである場合
葬儀に関する条件として入力された内容が、日付けである場合には、制御部１２０は、葬儀データベース１３１の日付３０６を参照して、入力された日付けから所定範囲内（例えば、３０日以内）の日付を有する葬儀を特定する。あるいは、制御部１２０は、入力された日付けと季節が同じ日付を有する葬儀を特定する。
【００７０】
これにより、葬儀情報提供装置１００は、葬儀が行われた日付けに近い葬儀の様子を示す画像情報を、ユーザに提供することができる。したがって、例えば、ユーザは、葬儀が行われた季節に着用する服装（厚着、薄着など）を確認することができる。
【００７１】
（例５）入力された条件が費用である場合
葬儀に関する条件として入力された内容が、ユーザが葬儀にかけられる費用である場合には、制御部１２０は、葬儀データベース１３１の費用３０７を参照して、入力された費用から所定範囲内（例えば、入力された金額の上下１０万円の範囲、入力された金額以下の範囲、入力された金額を含む所定範囲内の金額帯）に含まれる葬儀を特定する。
【００７２】
これにより、葬儀情報提供装置１００は、ユーザが葬儀にかけられる費用に近い費用で行われた葬儀の様子を示す画像情報を、ユーザに提供することができる。したがって、ユーザは、自身で設定した金額でどのような規模の葬儀を行うことができるのかを事前に認識することができる。また、逆に自身が望み規模の葬儀を行う場合に、いくらの費用を必要とするのかを認識することができる。
【００７３】
（例６）入力された条件が複数の場合
葬儀に関する条件として入力される条件が複数の場合も当然有り得る。このような場合には、制御部１２０は、複数の条件各々で特定された葬儀のうち、互いに重複する葬儀（同じ識別番号の葬儀）を、ユーザが入力した条件に合致する葬儀として特定する。
【００７４】
なお、複数の条件全てに合致する葬儀がない場合には、制御部１２０は、複数の条件のうち、条件を満たす数が多いものを所定数特定することとしてもよい。
【００７５】
例えば、入力された葬儀の条件が、場所が「Ａ市」、費用が「１００万円」という条件であった場合に、制御部１２０は、場所３０２が「Ａ市」内の座標となっている葬儀を特定するとともに、費用が「８０〜１２０万円」の葬儀を特定する。そして、制御部１２０は、双方の条件で特定した葬儀のうち、重複する葬儀をユーザの所望する葬儀として特定し、対応付けられている画像情報を通信部１１０に送信させる。
【００７６】
また、例えば、入力された葬儀の条件が、火葬場名が「Ａ火葬場」、葬儀社名が「Ｂ葬儀社」、日付が「２０１７年１月１５日」、費用が「２００万円」という条件であった場合には、制御部１２０は、上述と同様に、火葬場名３０４が「Ａ火葬場」となっている葬儀を特定し、葬儀社名３０５が「Ｂ葬儀社」となっている葬儀を特定し、日付３０６が「２０１７年１月１５日付近（例えば、前後３０日）」となっている葬儀を特定し、費用が、「１８０〜２２０万円」の葬儀を特定する。そして、制御部１２０は、各条件に応じた葬儀の中から、全条件に重複して特定された葬儀を、ユーザが所望する葬儀であると特定して、対応付けられた画像情報を提供する。
【００７７】
このとき、全ての条件に重複する葬儀がない場合には、制御部１２０は、「条件に該当する葬儀がありません」とエラーメッセージをユーザの機器２００に送信することとしてもよいし、入力された条件のうち、なるべく多くの条件を満たす葬儀をユーザが所望する葬儀であると特定して、対応付けられた画像情報を提供することとしてもよい。
【００７８】
＜まとめ＞
葬儀情報提供装置１００は、ユーザが所望する条件で行われた葬儀の様子を示す画像情報を提供することができる。したがって、ユーザが自身で葬儀を行う場合に、処々の条件で葬儀を行った場合にどのような葬儀になるのかの模様を事前に認識することができる。
【００７９】
＜補足＞
上記実施の形態に係る葬儀情報提供装置は、上記実施の形態に限定されるものではなく、他の手法により実現されてもよいことは言うまでもない。以下、各種変形例について説明する。
【００８０】
（１）上記実施の形態において、葬儀に関する条件として、複数の条件が入力された場合に、各条件に合致する葬儀を特定してから、各条件において共通して特定された葬儀を、ユーザが所望する葬儀であるとして特定することとした。しかし、これはその限りではなく、以下のような手法によって、ユーザの所望の葬儀を特定することとしてもよい。
【００８１】
例えば、制御部１２０は、第１〜第３の条件を入力された場合に、まず、第１の条件に合致する葬儀を特定し、特定された葬儀の中から、第２の条件に合致する葬儀を特定し、そして、最後に、第１及び第２の条件に合致する葬儀として特定された葬儀の中から、第３の条件に合致する葬儀を特定する。このような手法によってもユーザが所望する葬儀を特定し、その様子を示す画像情報を提供することができる。
【００８２】
（２）上記実施の形態においては、特に記載していないが、葬儀情報提供装置１００は、画像情報と共に、その他の情報も提供することとしてもよい。例えば、葬儀場名や、火葬場名、葬儀を行った葬儀社名、葬儀にかかった費用などの情報を提供することとしてもよい。また、葬儀データベースにおいて、葬儀を行った人物の情報も対応付けられてよく、当該人物の許可があれば、当該人物の情報も提供することとしてもよい。
【００８３】
（３）上記実施の形態に示した葬儀データベース１３１は、一例であり、その他の情報が登録されていてよい。例えば、葬儀の規模を示す情報が対応付けられてもよいし、参列者の人数を示す情報が対応付けられてもよい。
【００８４】
（４）上記葬儀データベース１３１は、さらに、各葬儀を行ったユーザ各々の葬儀の満足度の情報が対応付けられてもよく、葬儀情報提供装置１００は、当該満足度の情報をユーザの機器２００に提供することとしてもよい。
【００８５】
（５）上記実施の形態においては、葬儀情報提供装置１００は、ユーザから入力された条件に基づいて、提供する情報を決定していたが、その他の条件を用いてもよいことは言うまでもない。その他の条件としては、例えば、葬儀を行いたい宗教の指定が考えられる。そして、葬儀情報提供装置１００は、ユーザが指定した宗教に対応する画像情報を提供することとしてもよい。
【００８６】
当該構成を実現するにあたり、葬儀情報提供装置１００は、葬儀データベース１３１において、さらに、各画像情報３０８に宗教情報が対応付けられた葬儀データベース１３１を記憶しているとよい。ここで宗教情報は、対応する画像情報が、どの宗教の様式に従って執り行われたかを示す情報であり、宗教名や宗派名などを用いるとよい。宗教情報は、多数ある宗教のなかで一つの宗教を一意に特定可能な情報であってもよいし、一つの宗教の中で複数の宗派に分派しているような場合には、その大本の宗教を示す情報であってもよいし、それらの両方の情報であってもよい。
【００８７】
葬儀情報提供装置１００は、ユーザから葬儀に関する条件として、宗教情報の入力を受け付けた場合には、入力された宗教に対応する宗教があるかを葬儀データベース１３１の宗教情報を参照して検索し、対応する画像情報を提供する。このように、葬儀情報提供システムにおいては、宗教に応じた葬儀の模様を画像や映像により確認することもできる。
【００８８】
（６）上記実施の形態においては特に記載していないが、葬儀情報提供装置１００は、葬儀に関する情報として、地図情報に対応付けたインターフェースを提供するものであってもよい。即ち、提供部１２３は、例えば、図６に示すような葬儀に関する情報が散りばめられた地図情報６００を提供することとしてもよい。そのために、葬儀情報提供装置１００は、当該インターフェースを提供するインターフェースプログラムを記憶しており、当該インターフェースプログラムを実行することにより、図６に示す地図情報６００を提供できる。なお、これは、ユーザが、ユーザの機器２００に当該インターフェースプログラムをダウンロードして、ユーザの機器２００が実行することにより、地図情報６００を提供する構成であってもよい。なお、地図情報６００は、葬儀を行っていないタイミングで、ユーザに対して葬儀に関する情報を提供するものであってもよいし、実際の葬儀を行っているタイミングで、ユーザやオペレータに対して葬儀に関する情報を提供するものであってもよいし、葬儀情報提供装置１００を利用するユーザと葬儀社との間のやり取りを行うためのインターフェースとして利用してもよい。
【００８９】
地図情報６００は、地図上のアイコンを説明するための欄６００ａと、地図を表示するための欄６００ｂと、葬儀情報を提供する欄６００ｃと、各種の入力を行うための入力ボタン欄６００ｄとを含む。地図情報６００には、葬儀に関する情報として、斎場や、火葬場、安置所、搬送会社、警察、病院の位置を示すアイコンが表示される。欄６００ａには、そのアイコン各々がそれぞれどの施設のアイコンであるかを示している。図６に示すようにアイコン６０１は、斎場を示すアイコンであり、アイコン６０２は、火葬場を示すアイコンであり、アイコン６０３は、安置所を示すアイコンであり、アイコン６０４は、搬送会社を示すアイコンであり、アイコン６０５は、警察署を示すアイコンであり、アイコン６０６は、病院を示すアイコンである。
【００９０】
欄６００ｂには、地図が表示される。当該地図は、機器２００に対するユーザの入力によりスクロール可能に構成され、スクロール先の地図も表示可能である。地図上においては、欄６００ａに示す各アイコンを用いて、各々の施設の場所が示される。また、欄６００ａに示すアイコン以外にも、地図には、搬送会社の車６０８の位置などが示されてよい。また、その他にも、葬儀に係るスタッフの位置や、葬儀に参列する参列者の位置なども表示されてもよい。葬儀に係るスタッフの位置などを表示することで、葬儀情報提供装置１００は、実際の葬儀においてユーザがスタッフの位置を確認したり、オペレータ側でスタッフの位置を把握して、連絡を取り合ったりなどすることができる。なお、搬送会社の車６０８の位置は、葬儀情報提供装置１００が、各車両を運転する運転者の端末または車両の測位システムが測位した位置情報を、通信により取得することで、葬儀情報提供装置１００は、各車両の表示位置を決定することができる。なお、これらの車両には、さらに、車両のスケジュール情報などが対応付けられてよく、例えば、誰々をどこそこに送迎中といった情報なども表示することとしてよい。
【００９１】
欄６００ｃは、葬儀に関する詳細情報が表示される欄である。例えば、欄６００ｂ内に含まれる葬儀に関連する各施設の詳細情報が羅列されたり、図６に示すように、ユーザがカーソル６０７で指定した施設（入力デバイスがタッチパネルなどであればタッチ位置）に対応する情報が表示されたりする。図６の例では、カーソル６０７が示す斎場の情報が表示されている。葬儀情報提供装置１００は、当該情報を、葬儀データベース１３１から取得する。欄６００ｃは、施設の詳細情報を表示する際には、その施設の込み具合を示す状況情報６１６や、その施設で行われた行事に関する画像情報６１７も表示されてもよい。状況情報６１６は、例えば、葬儀データベース１３１が更に各施設のスケジュール情報を保持することによって出力することができる。そして、このとき、状況情報６１６は、混雑の度合を示すヒートマップで表現することとしてもよい。また、ヒートマップ以外で表現されてもよく、例えば、パーセンテージで表現することとしてもよい。また、画像情報６１７は、複数の画像や映像が示されてよく、表示しきれない場合には、スクロールしたり、画像をタッチしたりすることで次の画像に切り替わる態様で表示することとしてもよい。なお、欄６００ｃには、その他に施設の連絡先や外観画像、住所、最寄り駅、最寄り駅からの行き方の案内などの情報も表示されてもよい。なお、行き方の案内は、所謂経路探索技術を利用することにより実現することができる。
【００９２】
欄６００ｄは、各種の入力を行うための入力ボタンが配列されている。葬儀条件入力ボタン６０９は、ユーザが葬儀に関する条件を入力したい場合に押下する（タッチする）ボタンである。当該ボタンが押下されたことを検知すると、葬儀情報提供装置１００の制御部１２０は、葬儀条件の入力フォームを記憶部１２０から読み出して表示する。ユーザは、機器２００の入力デバイス等を利用して葬儀条件を入力すれば、制御部１２０は上述したように当該条件に合致する式を特定して、画像情報を、例えば、欄６００ｃに提供することができる。
【００９３】
ここにお迎えボタン６１０は、例えば、実際に葬儀を行っている場合などにおいて、地図上でユーザが指定した地点、あるいは、ユーザの機器２００の位置情報で示す位置に、式に係るスタッフの車両（例えば、搬送会社の車両）による送迎を依頼することができるボタンである。当該ボタンを押下する（タッチする）ことで、葬儀情報提供装置１００の制御部１２０は、送迎位置を取得し、搬送会社に送迎位置を通知する。これによって、ユーザは、送迎のサービスを受けることができる。
【００９４】
ここにご安置ボタン６１１は、故人の安置場所を指定するためのボタンである。当該ボタンを押下することで、故人の安置場所を指定することができ、例えば、ユーザからの指定にしたがって、葬儀社あるいは搬送会社は、指定された場所に故人を搬送することができる。
【００９５】
お問い合わせボタン６１２は、葬儀に関する各種施設に対して問い合わせをするためのボタンである。例えば、カーソル６０７で施設が指定されている状態や欄６００ｃに特定の施設に関する情報が表示されている状態で、当該ボタン６１２が押下される（タッチされる）と、制御部１２０は、当該施設に対する問い合わせをユーザが行うための入力フォームを画面上に表示する。制御部１２０は、当該入力フォームに代えて、当該施設の端末装置を送信先とするメールアプリケーションを立ち上げることとしてもよい。これにより、ユーザは、対応する施設に対して、各種の質問を簡単に問い合わせることができる。
【００９６】
現在値ボタン６１３は、地図情報６００を利用しているユーザの現在位置を地図上に表示するためのボタンである。当該ボタンを押下した場合にユーザの機器２００は、自機の位置情報を葬儀情報提供装置１００に送信し、葬儀情報提供装置１００は、ユーザの位置を地図上に対応付けて示した地図情報６００を出力する。したがって、ユーザは地図上で自身の位置を確認するとともに、葬儀に関する各施設との位置関係を一目で確認することができる。
【００９７】
また、その他にも、例えば、施設間の距離を求めるボタンを備えてもよく、その場合に、欄６００ｂに示す地図上で、２点あるいは、２点以上の点を繋ぐ複数点の距離を算出して出力することとしてもよい。葬儀情報提供装置１００は、例えば、故人の安置場所、斎場、火葬場をこの順でタッチして、距離算出ボタンを押下すれば、安置場所から斎場を経由して火葬場までの距離を算出して表示することができる。また、地図情報６００を利用しているユーザが保持している機器２００の位置、即ち、ユーザの現在位置も地図上に表示することとしてもよい。
【００９８】
このように、葬儀情報提供装置１００は、地図情報という態様で、葬儀に関する情報を提供することとしてもよい。地図に表示することによって、ユーザは、斎場や火葬場の位置をイメージしやすく、また、その斎場や火葬で行われた式の模様を分かりやすく認識することができる。なお、地図情報６００の各種の情報の配列例は一例にすぎず、その他の態様で配列された地図情報を提供することとしてもよいことは言うまでもない。葬儀情報提供装置１００が提供するインターフェースの態様は、適宜オペレータが変更することができる。また、葬儀情報提供装置１００が提供するインターフェースは、端末に応じて表示態様を異にしてよく、例えば、ＰＣ用の画面と、スマートフォン用の画面とで異なるインターフェースを提供するように構成されてもよい。
【００９９】
（７）上記実施の形態においては、葬儀情報提供装置が入力された葬儀に関する条件に応じて葬儀の様子を示す画像情報を提供する手法として、葬儀情報提供装置１００を構成する制御部（プロセッサ）が葬儀情報提供プログラム等を実行することにより、新たな文書データを分類することとしているが、これは装置に集積回路（ＩＣ（Integrated Circuit）チップ、ＬＳＩ（Large Scale Integration））等に形成された論理回路（ハードウェア）や専用回路によって実現してもよい。また、これらの回路は、１または複数の集積回路により実現されてよく、上記実施の形態に示した複数の機能部の機能を１つの集積回路により実現されることとしてもよい。ＬＳＩは、集積度の違いにより、ＶＬＳＩ、スーパーＬＳＩ、ウルトラＬＳＩなどと呼称されることもある。すなわち、図７に示すように、葬儀情報提供装置１００を構成する各機能部は、物理的な回路により実現されてもよい。図７に示すように、葬儀情報提供装置１００は、通信回路１１０ａと、制御回路１２０ａと、受付回路１２１ａと、取得回路１２２ａと、提供回路１２３ａと、登録回路１２４ａ、記憶回路１３０ａとを備え、各回路は、上述の同名の機能部と同様の機能を有する。
【０１００】
また、上記葬儀情報提供プログラムは、プロセッサが読み取り可能な記録媒体に記録されていてよく、記録媒体としては、「一時的でない有形の媒体」、例えば、テープ、ディスク、カード、半導体メモリ、プログラマブルな論理回路などを用いることができる。また、上記葬儀情報提供プログラムは、当該葬儀情報提供プログラムを伝送可能な任意の伝送媒体（通信ネットワークや放送波等）を介して上記プロセッサに供給されてもよい。本発明は、上記葬儀情報提供プログラムが電子的な伝送によって具現化された、搬送波に埋め込まれたデータ信号の形態でも実現され得る。
【０１０１】
なお、上記葬儀情報提供プログラムは、例えば、ActionScript、JavaScript（登録商標）などのスクリプト言語、Objective-C、Java（登録商標）などのオブジェクト指向プログラミング言語、HTML5などのマークアップ言語などを用いて実装できる。
【０１０２】
（８）上記実施の形態及び各補足に示した構成は、適宜組み合わせることとしてもよい。
【符号の説明】
【０１０３】
１００  葬儀情報提供装置
１１０  通信部
１２０  制御部
１２１  受付部
１２２  取得部
１２３  提供部
１２４  登録部
１３０  記憶部
１３１  葬儀データベース
【図１】
2019032855.tif 000003
【図２】
2019032855.tif 000004
【図３】
2019032855.tif 000005
【図４】
2019032855.tif 000006
【図５】
2019032855.tif 000007
【図６】
2019032855.tif 000008
【図７】
2019032855.tif 000009